(57)【特許請求の範囲】
【請求項１】
野縁に見切り縁を介して軒天井板を取付ける軒天井の取付け構造であって、見切り縁における野縁に対する取付片より屋内外方向に間隔を隔てて一対の垂下片を垂下させ、一方の垂下片の下端部から軒天井支持片を延出し、他方の垂下片の下端部から鼻板もしくは家屋側の外壁に当接するスペース片を延出し、一対の垂下片に換気口を形成し、取付片において見切り縁を野縁に取付け、軒天井支持片に軒天井板を載置して一方の垂下片と軒天井板の端面との間に第１風路を形成し、スペース片を鼻板もしくは外壁に当接して他方の垂下片と鼻板もしくは外壁との間に第２風路を形成して成ることを特徴とする軒天井の取付け構造。
【請求項２】
軒天井支持片に取付片の先端よりも突出する位置に軒天井板に対する位置決め用のストッパーを形成して成ることを特徴とする請求項１記載の軒天井の取付け構造。
【請求項３】
ストッパーを取付片の高さもしくはその近傍にまで立ち上げて覆い片を形成して成ることを特徴とする請求項２記載の軒天井の取付け構造。
【請求項４】
取付片の少なくとも屋内縁より屋内側に庇片を延出して成ることを特徴とする請求項１記載の軒天井の取付け構造。
【発明の詳細な説明】
【０００１】
【発明の属する技術分野】
本発明は、軒天井の取付け構造に関し、詳しくは、軒天井の取付け箇所における換気効率を高めながら、こうもりのような小動物が侵入するのを防止しようとする技術に係るものである。
【０００２】
【従来の技術】
従来、図４に示すように、野縁１に見切り縁１０ａを介して軒天井板８を取付ける軒天井の取付け構造においては、鼻板及び家屋の外壁６に見切り縁１０ａを取付け、見切り縁１０ａに野縁１を支持し、軒天井板８を野縁１に取付けるとともに軒天井板８の端部を見切り縁１０ａにて覆うのである。
【０００３】
この場合、見切り縁１０ａに換気口１１を形成して、風路ハを形成して軒天井裏の換気を図るものである。
【０００４】
【発明が解決しようとする課題】
ところで、このような換気構成において、良好な換気を図るために換気口１１を大きくする場合には、こうもりのような小動物が軒天井裏に侵入するという問題があった。
【０００５】
本発明はこのような問題に鑑みてなされたものであり、軒天井の取付け箇所における換気効率を高めながら、こうもりのような小動物が侵入するのを防止することができる軒天井の取付け構造を提供することを課題とするものである。
【０００６】
【課題を解決するための手段】
請求項１においては、野縁１に見切り縁１０を介して軒天井板８を取付ける軒天井の取付け構造であって、見切り縁１０における野縁１に対する取付片２より屋内外方向に間隔を隔てて一対の垂下片３，３を垂下させ、一方の垂下片３の下端部から軒天井支持片４を延出し、他方の垂下片３の下端部から鼻板５もしくは家屋側の外壁６に当接するスペース片７を延出し、一対の垂下片３，３に換気口１１，１１を形成し、取付片２において見切り縁１０を野縁１に取付け、軒天井支持片４に軒天井板８を載置して一方の垂下片３と軒天井板８との間に第１風路イを形成し、スペース片７を鼻板５もしくは外壁６に当接して他方の垂下片３と鼻板５もしくは外壁６との間に第２風路ロを形成してあることを特徴とするものである。このような構成によれば、取付片２から屋内外方向に間隔を隔てて垂下した一対の垂下片３，３の両側において第１風路イ、第２風路ロを形成することができ、従来の一つの風路ハのものに比べて換気効率を倍増することができ、したがって、換気口１１を大きくしなくてもよく、こうもりのような生動物が侵入するのを防止することができる。
【０００７】
請求項２においては、軒天井支持片４に取付片２の先端よりも突出する位置に軒天井板８に対する位置決め用のストッパー９を形成してあることを特徴とするものである。このような構成によれば、第１風路イを確実に形成することができながら、ストッパー９に軒天井板８に当接することで、軒天井板８の位置決めができて施工性を高めることができる。
【０００８】
請求項３においては、ストッパー９を取付片２の高さもしくはその近傍にまで立ち上げて覆い片１３を形成していることを特徴とするものである。このような構成によれば、覆い片１３によって軒天井板８の木口を覆うことができ、雨水が木口から浸入するのを防止することができる。
【０００９】
請求項４においては、取付片２の少なくとも屋内縁より屋内側に庇片１２を延出していることを特徴とするものである。このような構成によれば、庇片１２によって垂下片３の換気口１１を通して軒天井裏が見えるのを防止することができる。
【００１０】
【発明の実施の形態】
以下、本発明の実施の形態を説明する。図１は断面図、図２は見切り縁を示し、同図（ａ）は断面図、同図（ｂ）は正面図、同図（ｃ）は底面図である。
【００１１】
本実施の形態においては、軒天井の軒先側に施工したものであるが、これとは反対側の家屋の外壁側に施工してもよいものである。以下、軒先側の施工につきて詳述する。
【００１２】
図２（ｂ）に示すように、見切り縁１０は、例えば、金属の押出成形品であり、軒天井における野縁１に対する取付片２より屋内外方向に間隔を隔てて一対の垂下片３，３を垂下させている。一方の垂下片３の下端部から軒天井支持片４を延出している。他方の垂下片３の下端部から鼻板５に当接するスペース片７を延出している。軒天井支持片４に取付片２の先端よりも突出する位置に軒天井板８に対する位置決め用のストッパー９を形成している。一対の垂下片３，３に換気口１１，１１を形成している。取付片２の屋内外縁より庇片１２を延出している。屋内側の庇片１２先端は、ストッパー９よりも垂下片３側に、又、屋外側の庇片１２の先端は、スペース片７の先端よりも垂下片３側に位置している。このように見切り縁１０を形成している。
【００１３】
図２（ａ）に示すように、家屋の外壁（図示せず）から軒先側に延出されて支持されている野縁１に取付片２において見切り縁１０をビス１４にて取付ける。この場合、スペース片７が鼻板５に当接していて、見切り縁１０の位置決めが容易にできて見切り縁１０の取付けが容易になる。軒天井支持片４に軒天井板８を載置して、軒天井板８の先端をストッパー９に当接させる。図中１５は軒先見切りであり、鼻板５にビス止めされている。
【００１４】
このような取付け状態において、軒天井支持片４に軒天井板８を載置して一方の垂下片３と軒天井板８との間に第１風路イを形成するのであり、又、スペース片７を鼻板５当接していて他方の垂下片３と鼻板５との間に第２風路ロを形成している。
【００１５】
このように、取付片２から屋内外方向に間隔を隔てて垂下した一対の垂下片３，３の両側において第１風路イ、第２風路ロを形成することができるのであり、従来の一つの風路ハのものに比べて換気効率を倍増することができ、したがって、換気口１１を大きくしなくてもよく、こうもりのような生動物が侵入するのを防止することができるものである。
【００１６】
更に述べれば、軒天井支持片４に取付片２の先端よりも突出する位置に軒天井板８に対する位置決め用のストッパー９を形成してあって、第１風路イを確実に形成することができながら、ストッパー９に軒天井板８に当接することで、軒天井板８の位置決めができて施工性を高めることができるものである。
【００１７】
又、取付片２の屋内縁及び屋外縁より屋内側に庇片１２を延出していることから、垂下片３の換気口１１を通して軒天井裏が見えるのを防止することができる。
【００１８】
図３は他の実施の形態を示し、但し、本実施の形態の基本構成は上記実施の形態と共通であり、共通する部分には同一の符号を付して説明は省略する。
【００１９】
本実施の形態においては、ストッパー９を取付片２の高さもしくはその近傍にまで立ち上げて覆い片１３を形成したものである。
【００２０】
本実施の形態においては、覆い片１３によって軒天井板８の木口を覆うことができ、雨水が木口から浸入するのを防止することができるものである。
【００２１】
尚、本発明の見切り縁１０を屋内側に実施する場合には、図１の鼻板５が家屋の外壁側になるように施工するものであり、同様の作用効果を得ることができる。
【００２２】
【発明の効果】
請求項１においては、野縁に見切り縁を介して軒天井板を取付ける軒天井の取付け構造であって、見切り縁における野縁に対する取付片より屋内外方向に間隔を隔てて一対の垂下片を垂下させ、一方の垂下片の下端部から軒天井支持片を延出し、他方の垂下片の下端部から鼻板もしくは家屋側の外壁に当接するスペース片を延出し、一対の垂下片に換気口を形成し、取付片において見切り縁を野縁に取付け、軒天井支持片に軒天井板を載置して一方の垂下片と軒天井板の端面との間に第１風路を形成し、スペース片を鼻板もしくは外壁に当接して他方の垂下片と鼻板もしくは外壁との間に第２風路を形成してあるから、取付片から屋内外方向に間隔を隔てて垂下した一対の垂下片の一対の側において第１風路、第２風路を形成することができ、従来の一つの風路のものに比べて換気効率を倍増することができ、したがって、換気口を大きくしなくてもよく、こうもりのような生動物が侵入するのを防止することができるという利点がある。
【００２３】
請求項２においては、軒天井支持片に取付片の先端よりも突出する位置に軒天井板に対する位置決め用のストッパーを形成してあるから、請求項１の効果に加えて、第１風路を確実に形成することができながら、ストッパーに軒天井板に当接することで、軒天井板の位置決めができて施工性を高めることができるという利点がある。
【００２４】
請求項３においては、ストッパーを取付片の高さもしくはその近傍にまで立ち上げて覆い片を形成しているから、請求項２の効果に加えて、覆い片によって軒天井板の木口を覆うことができ、雨水が木口から浸入するのを防止することができるという利点がある。
【００２５】
請求項４においては、取付片の少なくとも屋内縁より屋内側に庇片を延出しているから、請求項１の効果に加えて、垂下片の換気口を通して軒天井裏が見えるのを防止することができるという利点がある。
【図面の簡単な説明】
【図１】本発明の実施の一形態の断面図である。
【図２】同上の見切り縁を示し、（ａ）は断面図、（ｂ）は正面図、（ｃ）は底面図である。
【図３】同上の見切り縁の他の実施の形態を示す断面図である。
【図４】従来例の断面図である。
【符号の説明】
１  野縁
２  取付片
３  垂下片
４  軒天井支持片
５  鼻板
６  外壁
７  スペース片
８  軒天井板
９  ストッパー
１０  見切り縁
１１  換気口
１２  庇片
１３  覆い片
【図１】
0003617941.tif 000002
【図２】
0003617941.tif 000003
【図３】
0003617941.tif 000004
【図４】
0003617941.tif 000005